(57)【要約】【課題】操作部の良好な操作性を確保した電源装置を備えた遊技機を提供すること。【解決手段】遊技機１は、前面側が開放部とされた筐体２と筐体２の開放部を開閉するように回動自在に取り付けられた前面扉３を有し、筐体２内部に前面側に所定の操作を行うための操作部４５と操作部４５を外方から開閉するように回動自在の取り付けられた開閉カバー体４７を有する電源装置４１を備えている。電源装置４１には、開閉カバー体４７の開放方向又は閉塞方向に向けた移動過程で所定位置より開放位置側に在るときには開閉カバー体４７を開放方向へ付勢し、所定位置より閉塞位置側に在るときには開閉カバー体４７を閉塞方向へ付勢する板バネ４９が設けられている。そして、前面扉３の後面側には、前面扉の閉塞過程で開放状態の開閉カバー体４７を受ける受け部１８が設けられている。【選択図】図３
2006263255.tif 000002
【特許請求の範囲】
【請求項１】
前面側が開放部とされた筐体と、該筐体の開放部を開閉するように回動自在に取り付けられた前面扉と、前記筐体の内部に設けられ、当該遊技機の設定状態を変更する所定の操作を行うための操作部と、該操作部を外方から開閉するように回動自在に取り付けられた開閉カバー体と、を備えた遊技機において、
前記操作部には、
前記開閉カバー体の開放方向又は閉塞方向に向けた移動過程で該開閉カバー体が所定位置より開放位置側に在るときには該開閉カバー体を開放方向へ付勢し、該開閉カバー体が前記所定位置より閉塞位置側に在るときには該開閉カバー体を閉塞方向へ付勢する付勢手段が設けられ、
前記筐体の前面扉の後面側には、
前記前面扉の閉塞方向に向けた移動過程で前記操作部の開放状態の開閉カバー体に摺動しつつ押し出すことによって該開閉カバー体を少なくとも前記所定位置より閉塞位置側まで到達させるような受け部が設けられていることを特徴とする遊技機。
【請求項２】
前記前面扉の受け部には、前記操作部の開閉カバー体が該受け部に当接したときの衝撃を吸収する衝撃吸収材が設けられていることを特徴とする請求項１に記載の遊技機。
【請求項３】
前記前面扉の受け部には、前記操作部の開閉カバー体が該受け部に当接して摺動するときの摩擦を軽減する摩擦軽減材が設けられていることを特徴とする請求項１又は２に記載の遊技機。
【発明の詳細な説明】
【技術分野】
【０００１】
本発明は、筐体の内部に設けられて外方から開閉するように開閉カバー体が回動自在に取り付けられた操作部を備えた遊技機に関する。
【背景技術】
【０００２】
現在のスロットマシン等に代表される遊技機は、前面側が開放部とされた筐体と、開放部を開閉するように回動自在に取り付けられた前面扉とを有し、筐体内部に電源装置を配設して、電源装置から供給される駆動電力により作動するように構成されている。また、電源装置の前面側には、遊技機の設定状態を変更する各種のスイッチ類、例えば遊技機の電源をオン・オフする電源スイッチ、いわゆる出玉率の設定値を変更する設定キースイッチ、遊技機の制御基板のエラー状態を回復するリセットスイッチ等を配置した操作部が設けられている。
【０００３】
例えば、出玉率の設定値を変更する場合、遊技機の前面扉の開放状態を保持したまま、設定キースイッチの設定キー挿入孔に設定キーを挿入して所定方向に回動し、通常モードから設定変更モードとする。そして、所定の操作によって出玉率の設定値を変更して、設定キーを逆方向に回動して設定変更モードから通常モードに戻す。その後に、出玉率の設定値の変更を遊技機に認識させて、設定キー挿入孔から設定キーを抜き、最後に遊技機の前面扉を閉塞して出玉率の設定値の変更に係る作業を終了する。
【０００４】
また、電源スイッチを操作する場合、上述の出玉率の設定値の変更に係る動作と同様に、遊技機の前面扉の開放を保持した状態で電源スイッチを操作することによって遊技機の電源をオン・オフするようにしている。
【０００５】
そしてまた、遊技の進行中に制御基板、例えば遊技機の主要な遊技動作を制御するメイン制御基板上で所定のエラー状態が生じたときには、上述の出玉率の設定値の変更に係る動作と同様に、遊技機の前面扉の開放を保持した状態でリセットボタンを操作することによってエラー状態を回復するようにしている。
【０００６】
このように、電源装置の前面側には設定キースイッチ、電源スイッチ、リセットスイッチ等の重要なスイッチ類が配置されていることから、電源装置は、電源装置の操作部を外方から開閉するように回動自在に取り付けられた開閉カバー体を有しているものある。これにより、操作部のスイッチ類を操作しないときには、操作部は開閉カバー体によって外方から閉塞されているので、遊技機の隙間から異物等を挿入することによって操作部のスイッチ類を操作する不正行為を防いでいる。
【０００７】
図１３は、この種の電源装置を筐体内部に配置した遊技機の構成を説明する図である。電源装置１０１は、図示しない遊技機の筐体内部の手前側に設けられており、金属板を折り曲げ加工することによって中空の箱形状に形成され、前面側が開放部とされたシャーシ部１０３と、シャーシ部１０３の開放部を覆うように取り付けられ、遊技機の設定状態を変更するスイッチ類等が配置された操作部１０５と、操作部１０５を外方から開閉するように回動自在に取り付けられた開閉カバー体１０７と、開閉カバー体１０７を閉塞位置の方向へ常に付勢する付勢手段１０９とを有している。
【０００８】
上記構成を有する遊技機の場合、電源装置１０１の開閉カバー体１０７は、付勢手段１０９によって閉塞位置の方向に常に付勢されていることから、開閉カバー体１０７の開放状態を保持しない限り、操作部１０５を外方から閉塞している。したがって、遊技機の隙間から異物等を挿入することによって操作部１０５のスイッチ類を操作する不正行為を困難なものとすることができる。（例えば、特許文献１参照）。
【０００９】
【特許文献１】特開２００４−６５４９３
【発明の開示】
【発明が解決しようとする課題】
【００１０】
しかしながら、特許文献１に開示された電源装置１０１を有する遊技機の場合、電源装置１０１の開閉カバー体１０７は付勢手段１０９によって閉塞方向に常に付勢されていることから、操作部１０５のスイッチ類を操作するときには、遊技機の前面扉と電源装置１０１の開閉カバー体１０７の開放状態を同時に保持しつつ行う必要がある。
【００１１】
特に、遊技機の前面扉は、スピーカ、液晶ディスプレイ等の種々の機器類が所定位置に配置されることから、比較的重さをもって形成されている。これにより、前面扉の開放状態が解除されると、前面扉は自重で閉塞方向に向かって移動することから、前面扉の開放状態を確実に保持しつつ操作部１０５のスイッチ類を操作する必要がある。
【００１２】
これに対し、電源装置１０１の開閉カバー体１０７は、上述のように一方で前面扉の開放状態を保持し、他方で操作部１０５のスイッチ類を操作することから、作業者の手に接触させたままで開放状態を保持されている。或いは、手に接触させずに開閉カバー体１０７の開放状態を保持できたしても、確実に開放状態を保持される前面扉と同時に保持することになるので、開閉カバー体１０７の開放状態の保持は高い困難性をもって行われる。
【００１３】
いずれにしても、操作部１０５のスイッチ類の操作中は、開閉カバー体１０７が作業者の手に接触した状態であるか、又は困難性をもって開放状態を保持されているので、操作部１０５のスイッチ類の操作は極めて煩雑である。したがって、遊技機の設定状態を変更する作業等の作業性を低下させることになる。
【００１４】
そして、遊技場には、多数の遊技機が設置されていることから、例えば、各々の遊技機の電源スイッチをオン操作する作業が連続して行われる場合、上記の煩雑性及び作業性の低下によって、作業効率の低下が懸念され、またそのような状況が実際に起こっている。同様の懸念は、例えば出玉率の設定値を変更する場合及びリセットボタンの操作によってエラー状態を回復する場合にも見出されるものである。
【００１５】
本発明は、これら種々の問題を鑑み、従来技術の課題を解決すべくなされたものであり、良好な作業性を確保した操作部を備えた遊技機を提供することにある。
【課題を解決するための手段】
【００１６】
上記課題を解決する請求項１に記載した遊技機の発明は、
前面側が開放部とされた筐体と、該筐体の開放部を開閉するように回動自在に取り付けられた前面扉と、筐体の内部に設けられ、当該遊技機の設定状態を変更する所定の操作を行うための操作部と、該操作部を外方から開閉するように回動自在に取り付けられた開閉カバー体とを備えた遊技機において、操作部には、開閉カバー体の開放方向又は閉塞方向に向けた移動過程で該開閉カバー体が所定位置より開放位置側に在るときには該開閉カバー体を開放方向へ付勢し、該開閉カバー体が所定位置より閉塞位置側に在るときには該開閉カバー体を閉塞方向へ付勢する付勢手段が設けられ、筐体の前面扉の後面側には、前面扉の閉塞方向に向けた移動過程で操作部の開放状態の開閉カバー体に摺動しつつ押し出すことによって該開閉カバー体を少なくとも所定位置より閉塞位置側まで到達させるような受け部が設けられていることを特徴とする。
【００１７】
請求項１に記載の発明によれば、操作部の開閉カバー体は開放過程で所定位置より開放位置側まで到達すると、付勢手段の付勢力によって開放位置まで付勢される。これにより、開閉カバー体は、所定位置より閉塞位置側まで移動させない限り閉塞方向へ向かって移動しないので、開閉カバー体の開放状態を保持する必要がない。したがって、操作部の操作中に生じる作業者への開閉カバー体の接触による煩雑性を解消することから、操作部の良好な操作性を確保することができる。
【００１８】
なお、本発明において、開閉カバー体の開放位置とは、付勢手段の付勢力によって開放されたときに開閉カバー体が到達する位置を表す意味合いで用いられている。
【００１９】
また、操作部の操作終了後は、前面扉の開放状態の保持を解除して前面扉を閉塞方向に向けて移動させるだけで、操作部の開閉カバー体を閉塞することができる。すなわち、前面扉の閉塞方向に向けた移動過程において、前面扉の受け部が操作部の開放状態の開閉カバー体に摺動しつつ押し出すことにより、操作部の開閉カバー体を前面扉の受け部で受けた状態で前面扉の移動に連動して閉塞方向に向かって移動させることができる。そして、前面扉の閉塞方向の移動に連動して、操作部の開閉カバー体が所定位置よりも閉塞位置側に到達したときに、付勢手段の付勢力によって操作部の開閉カバー体は閉塞位置まで付勢され、操作部を開閉カバー体によって外方から閉塞する。これにより、開閉カバー体は操作部に密着して閉塞した状態となるので、遊技機の隙間から棒体等の異物を挿入することによって操作部を操作する不正行為を防止することができる。
【００２０】
また、操作部の操作終了後は、前面扉を閉塞方向に向かって移動させるだけで、操作部の開閉カバー体の閉塞と遊技機の前面扉の閉塞をほぼ同時に行うことができる。したがって、遊技機の前面扉を開放してから操作部の操作を行って遊技機の設定状態を変更し、その後に遊技機の前面扉を閉塞するまでの一連の作業動作を迅速に行うことができ、作業効率の向上を図ることができる。特に、遊技機は、遊技場において多数設置されることから、作業効率の向上によって、各々の遊技機の操作部を極めて迅速に操作することができる。
【００２１】
更に、前面扉を閉塞することによってほぼ同時に操作部の開閉カバー体を閉塞するので、操作部の操作終了後に開閉カバー体の閉め忘れを防止することができる。なお、操作部の開閉カバー体は、閉め忘れ防止の観点から作業効率の低下を招来しない程度において前面扉の閉塞前に閉塞するようにしても良い。
【００２２】
請求項２に記載の発明は、請求項１に記載した遊技機において、
前面扉の受け部には、操作部の開閉カバー体が該受け部に当接したときの衝撃を吸収する衝撃吸収材が設けられていることを特徴とする。
【００２３】
請求項２に記載の発明は、前面扉の受け部の構成を具体的に限定したものであり、これによれば、操作部の操作終了後に閉塞される前面扉は、前面扉の閉塞過程で所定の衝撃をもって前面扉の受け部が操作部の開閉カバー体に当接するので、衝撃吸収材によって衝撃を吸収し、操作部の開閉カバー体の破損等を防ぐことができる。
【００２４】
請求項３に記載の発明は、請求項１又は２に記載した遊技機において、
前面扉の受け部には、前記操作部の開閉カバー体が該受け部に当接して摺動するときの摩擦を軽減する摩擦軽減材が設けられていることを特徴とする。
【００２５】
請求項３に記載の発明は、前面扉の受け部の構成を具体的に限定したものであり、これによれば、操作部の開閉カバー体を前面扉の受け部で受けてから前面扉を更に閉塞方向に移動させると、前面扉の受け部と操作部の開閉カバー体との間で摺動が生じる。従って、前面扉の受け部に摩擦軽減材を設けることによって、摺動による操作部の開閉カバー体の摩擦傷を防止することができる。
【発明の効果】
【００２６】
本発明にかかる遊技機によれば、所定位置より開放位置側まで到達した操作部の開閉カバー体は、付勢手段の付勢力によって開放方向に向けて開放されるので、遊技機の前面扉の開放状態だけを保持しつつ操作部を操作することができる。したがって、操作部の開閉カバー体が手に接触した状態で操作部を操作することによる煩雑性が解消されるので、操作部の良好な操作性を確保することができる。
【００２７】
また、操作部の操作終了後は、前面扉を閉塞方向に向けて移動させ、前面扉の閉塞過程において前面扉の受け部で操作部の開閉カバー体を受けることにより、前面扉の移動に連動して開閉カバー体を閉塞方向に向けて移動させることができる。これにより、開閉カバー体が所定位置より閉塞位置側まで到達すれば、付勢手段の付勢力によって開閉カバー体が閉塞されるので、開閉カバー体の閉め忘れを防止することができる。
【発明を実施するための最良の形態】
【００２８】
以下、本発明の一実施の形態について遊技機の一例としてスロットマシンの場合を例に図面に基づいて説明する。
【００２９】
図１は、スロットマシン１の前面扉３が閉じた状態を示す斜視図、図２は、スロットマシン１の前面扉３を開いた状態を示した斜視図、図３は、スロットマシン１の筐体２内部の要部拡大図、図４は、図３においてＡ方向より矢視した受け部１８の構成を説明する図である。
【００３０】
スロットマシン１は、図１に示すように、筐体２と前面扉３とからなる正面視略矩形状の本体部４を有している。
【００３１】
筐体２は、スロットマシン１の骨格をなす部材であり、図２に示すように、前面側が開放部された箱形状を有している。筐体２の内部には、各種の図柄等が表示される複数個の回転ドラム１１と、スロットマシン１の遊技動作を制御するメイン制御基板５０（図１０を参照）等を収納した制御基板収納ボックス１２と、遊技価値媒体であるコインＭを貯留する補助タンク１３ａ、及び補助タンク１３ａ内のコインＭを排出用通路９からコイン払出口７に払い出す支払装置１３ｂを備えたホッパ１３と、開閉カバー体４７等を備える後述の電源ボックス４１（電源装置）等が収容されている。
【００３２】
前面扉３は、図２に示すように、左辺部の上下２カ所がヒンジ５によって筐体２に連結されて取り付けられており、筐体２の手前側への開閉動作によって筐体２の前面開放部を容易に閉塞及び開放できるように構成されている。
【００３３】
前面扉３は、図１に示すように、上方から下方に向かって順番に表示部３Ａ、操作部３Ｂ、貯留部３Ｃの３つの部分を備えている。表示部３Ａは、前面扉３の上辺に沿って設けられ遊技の進行に伴って点灯・点滅する上部ランプ２１と、上部ランプ２１の下方位置で左右両側に各々配置されて種々の効果音等を発生させる一対のスピーカ２２と、これら一対のスピーカ２２の間に配設されて画像・映像などの種々の情報を表示する液晶ディスプレイ２３を有している。また、表示部３Ａの略中央高さ位置には、筐体２内で回転する複数個の回転ドラム１１をそれぞれ視認するための透明窓２４が設けられており、透明窓２４の左側にはコインＭのベット数（賭け数）に応じて点灯するベットランプ２５が配設されている。そして、表示部３Ａの下部には、左側から右側に向かって順番にクレジット枚数表示部２６、ゲーム数表示部２７、払出枚数表示部２８が設けられている。
【００３４】
操作部３Ｂは、表示部３Ａの下端で折曲されて手前側に向かって延在する平面部分Ｆと、その平面部分Ｆの手前側の端部で折曲されて下方に向かって垂下する縦壁部分Ｈを有しており、平面部分Ｆには、左側位置に１枚用と２枚用のベットボタン３１、３２が設けられ、その右側近傍位置に３枚用のベットボタン３３が設けられている。そして、平面部分Ｆの右側位置には、コイン投入部３８が配設されている。
【００３５】
縦壁部分Ｈの上部には左側から右側に向かって順番に、コインＭを貯留するか否かを選択するためのクレジットボタン３４、回転ドラム１１の回転開始を指示するためのスタートレバー３５、回転ドラム１１の回転停止を指示するためのストップボタン３６が設けられている。スタートレバー３５は、縦壁部分Ｈから手前側に向かって突設されており、下方に押し下げる、或いは上方に押し上げることによって操作される。ストップボタン３６は、各回転ドラム１１に対応する位置にそれぞれ配設されており、押し動作によって操作される。また、操作部３Ｂの下部には、機種名や遊技に関わるキャラクタ等が表示された表示プレート３７等が設けられている。
【００３６】
貯留部３Ｃは、操作部３Ｂの下方位置で左右方向に亘って延在するように配置形成されており、コイン払出口７から払い出されたコインＭを受けて貯留するコイン受け皿１６や灰皿１７等が設けられている。
【００３７】
また、前面扉３は、図２に示すように、後面側が開放部とされた中空の箱形状に形成され、前面扉３の各辺部で曲折されて後方に向かって所定の長さをもって延出する前面扉側壁部６を有している。前面扉３の内部には、コインＭの排出用通路９、スピーカ２２、液晶ディスプレイ２３等が収容され、前面扉３によって筐体２の開放部分が閉塞された時に筐体２内部の回転ドラム１１やホッパ１３等と接触しないように構成されている。
【００３８】
前面扉３の後面側には、図３に示すように、前面扉３の外枠の若干内側で且つ前面扉３の外枠に沿って延在する補強部材１５が設けられている。補強部材１５は、硬質な金属部材によって構成されており、前面扉３の補強だけでなく、排出用通路９等を取り付け固定するための支持フレームとしても構成されている。補強部材１５は、前面扉３の後面から後方に向かって延出するように基端が前面扉３の後面に固定され、先端が少なくとも前面扉側壁部６の先端より後方位置に延在するように形成されている。
【００３９】
前面扉３の前面扉側壁部６の先端と補強部材１５の先端の間には、図３及び図４に示すように受け部１８が跨設されている。受け部１８は、前面扉側壁部６の先端と補強部材１５の先端の間に跨設された支持板１８ａと、支持板１８ａの表面に設けられた衝撃吸収板１８ｂと、衝撃吸収板１８ｂの表面に塗布されることによって形成された摩擦軽減膜１８ｃによって構成されている。
【００４０】
受け部１８は、前面扉側壁部６から補強部材１５の方向に幅方向を有し、前面扉３の上下方向に沿って延在するように形成されている。そして、受け部１８は、前面扉３の開放時に開放された電源ボックス４１の開閉カバー体４７と対向し、前面扉３を閉塞するときに開放状態の開閉カバー体４７を積極的に受けることができるように構成されている。
【００４１】
受け部１８の支持板１８ａは、合成樹脂製の板状部材によって構成されており、支持板１８ａの外表面は凹凸のない平坦面を有している。支持板１８ａは、略矩形状を有しており、支持板１８ａの一方の長辺部が前面扉側壁部６の先端の位置で、他方の長辺部が補強部材１５の先端の位置で取り付け固定できるように構成されている。
【００４２】
支持板１８ａの表面には、閉塞過程の前面扉３と開放状態の開閉カバー体４７が当接したときの衝撃で開閉カバー体４７が破損等しないように衝撃吸収板１８ｂが施されている。前面扉３には、コイン排出用通路９、スピーカ２２、液晶ディスプレイ２３等が配置されていることから、前面扉３は比較的重さをもって形成されている。これにより、閉塞過程の前面扉３と開閉カバー体４７が当接したときに、開閉カバー体４７自体の強度を確保したとしても破損等することも考えられる。このように、衝撃吸収板１８ｂは、開閉カバー体４７に施された衝撃を吸収することができればどのような材料によって構成されていても良く、ゴム等の弾性部材によって形成されている。
【００４３】
衝撃吸収板１８ｂは、支持板１８ａと同様に略矩形状を有する板状に形成され、衝撃吸収板１８ｂの表面は凹凸のない平坦面によって形成されている。衝撃吸収板１８ｂは、接着剤等によって支持板１８ａに貼着されている。なお、支持板１８ａに衝撃吸収板１８ｂを設ける構成に代えて、支持板１８ａが衝撃吸収板１８ｂの機能を兼備する構成とすることも可能である。
【００４４】
そして、衝撃吸収板１８ｂの外表面には、更に摩擦軽減膜１８ｃが設けられている。前面扉３の受け部１８に電源ボックス４１の開閉カバー体４７が当接した状態で更に前面扉３を移動させると、受け部１８と開閉カバー体４７との間で摺動が生じる。摩擦軽減材１８ｃは、摺動時に開閉カバー体４７に付与される摩擦傷等を防止するものであり、例えば、衝撃吸収板１８ｂの表面にグリス等を塗布することによって被膜状に形成されている。
【００４５】
これにより、前面扉３の受け部１８は、前面扉３の閉塞過程において開放状態の電源ボックス４１の開閉カバー体４７が単に接触するのではなく、前面扉３の閉塞過程で受け部１８を開閉カバー体４７に積極的に当接させ、受け部１８と開閉カバー体４７との間で前面扉３の移動による摺動を生じさせることができるように設けられている。
【００４６】
前面扉３は、スピーカ２２等が収容されて比較的重さをもって形成されているものの、受け部１８には衝撃吸収板１８ｂが設けられているので、電源ボックス４１の開閉カバー体４７に対して所定の衝撃をもって前面扉３の受け部１８が当接しても、衝撃を吸収することができるので、開閉カバー体４７の破損等の防止をより積極的に行うことができる。
【００４７】
そしてまた、受け部１８には摩擦軽減膜１８ｃが設けられているので、電源ボックス４１の開閉カバー体４７に対して前面扉３の受け部１８が当接し、前面扉３が更に移動することにより摺動が生じたときに、開閉カバー体４７と受け部１８との間で生じ摩擦による摩擦傷等の付与を防ぐことができる。
【００４８】
次に、スロットマシン１の筐体２内部に設けられる電源ボックス４１について図５〜図９を参照しつつ説明する。図５は、電源ボックス４１の分解斜視図、図６は、電源ボックス４１の要部拡大図、図７は、電源ボックス４１のカム４７ｃの平面拡大図、図８は、所定位置の開閉カバー体４７に作用する付勢力を説明する図、図９は、開放位置の開閉カバー体４７に作用する付勢力を説明する図である。
【００４９】
電源ボックス４１は、回転ドラム１１を回転駆動させる駆動モータ（図示せず）等に外部電源からの駆動電力を供給するものであり、前面扉３の受け部１８が当接して摺動しつつ押し出すことによって開閉カバー体４７を円滑に閉塞することができるようにスロットマシン１の筐体２内部の手前側に取り付け固定されている（図２を参照）。本実施の形態において、電源ボックス４１は、筐体２の左側面近傍で且つ筐体２の開放部分の近傍に配置されている。
【００５０】
電源ボックス４１は、上記の位置に限定されるものでなく、筐体２内部の更に手前側又は更に奥側に配置することも可能である。また、電源ボックス４１は、筐体２内部の左右の幅方向に移動させて配置することも可能である。
【００５１】
しかしながら、電源ボックス４１を、例えば電源ボックス４１の開閉カバー体４７と筐体２の開放部がほぼ同一面を形成する程度まで筐体２の手前側に配置した場合、電源ボックス４１の開閉カバー体４７の開閉動作は円滑に行われるものの、開閉カバー体４７を開放したときに前面扉３の前面扉側壁部６と補強部材１５の間に開閉カバー体４７の一部が比較的強固に係止することが考えられる。これにより、前面扉３を閉塞方向に向けて移動させたときに、開閉カバー体４７の係止が解除されず前面扉３が移動することによって開閉カバー体４７に応力が作用し、開閉カバー体４７の破損等が発生することもあり不都合である。
【００５２】
また、電源ボックス４１を、例えば、筐体２の更に奥側の方向に配置した場合、開閉カバー体４７が開放されたときに開閉カバー体４７の先端位置（右辺部）が筐体２の開放部から外方側に露出しないか、又は殆ど露出しないので、前面扉３の閉塞過程で受け部１８と開閉カバー体４７との間で摺動が生じない。これにより、前面扉３の受け部１８との摺動により電源ボックス４１の開閉カバー体４７が閉塞方向に押し出されないので、前面扉３の閉塞後、開閉カバー体４７の閉め忘れが生じることから不都合である。
【００５３】
従って、電源ボックス４１は、上述のように閉塞過程の前面扉３の受け部１８が電源ボックス４１の開閉カバー体４７に当接し摺動することによって開閉カバー体４７を閉塞方向に押し出し、円滑に閉塞することができる限りにおいて、種々の位置に配置することができる。
【００５４】
電源ボックス４１は、図５及び図６に示すように、前面側が開放部とされ、駆動電力を供給する電源基板６０等を収容するシャーシ部４３と、シャーシ部４３の開放部に取り付けられ、種々のスイッチ類等が配置される操作部４５と、操作部４５を外方から開閉するように枢軸４６を間に介して回動自在に取り付けられた開閉カバー体４７と、開閉カバー体４７を開放位置及び閉塞位置の方向にそれぞれ付勢する板バネ４９とを有している。
【００５５】
シャーシ部４３は、電源ボックス４１の骨格をなす材料であり、金属板を折り曲げ加工することによって前面側が開放部とされた中空の箱形状に形成され、前面側から内部に電源基板６０等を収容できるように構成されている。シャーシ部４３は、スロットマシン１の筐体２の手前側から奥側に向かって平行に延在する左右一対の側面４３ａ、４３ｂと、左右の側面４３ａ、４３ｂの対向する上辺部及び下辺部をそれぞれ連結する上面４３ｃ及び下面４３ｄと、左右の側面４３ａ、４３ｂ及び上下面４３ｃ、４３ｄの各々の奥側辺部を連結する奥側面（図示せず）とを有している。
【００５６】
シャーシ部４３の左側面４３ａは、シャーシ部４３の上面４３ｃから突出するように上方に向かって延設され、電源ボックス４１をスロットマシン１の筐体２に取り付け固定できるように第１の取付孔４３ｅが設けられている。
【００５７】
シャーシ部４３の上面４３ｃ左側には、手前側から奥側に向かって順番に種々の出力コネクタ孔４３ｆ、４３ｇ、４３ｈ、４３ｉが設けられている。また、シャーシ部４３の上面４３ｃ右側には、シャーシ部４３の上面４３ｃの延在方向に対して交差する方向に略直線の溝状に形成された放熱孔４３ｊが手前側から奥側に向かって順番に並設されている。
【００５８】
シャーシ部４３の下面４３ｄの手前側辺部には、手前側辺部を基端として手前方向に向かって略矩形状の固定補助部４３ｋが設けられ、固定補助部４３ｋのほぼ先端側に、スロットマシン１の筐体２の底面に電源ボックス４１を取り付け固定できるように第２の取付孔４３ｍが設けられている。
【００５９】
操作部４５は、シャーシ部４３の開放部を覆うようにシャーシ部４３の左右の側面４３ａ、４３ｂ及び上下面４３ｃ、４３ｄの各々の手前側辺部を連結するように取り付け固定され、シャーシ部４３と同一の金属板によって略矩形状に形成された操作盤４５ａを有している。操作盤４５ａの所定位置には、スロットマシン１の設定状態を変更する各種のスイッチ類及び駆動電力の入出力状態を確認する各種のランプ類が手前側に向かって露出するように配置されている。
【００６０】
なお、操作部４５は、シャーシ部４３の左右の側面４３ａ、４３ｂ及び上下面４３ｃ、４３ｄの各々の手前側辺部を連結するように設ける構成としたが、このような配置に限定されるものではない。前面扉３を開放して、操作部４５のスイッチ類を操作することができれば、操作部４５を電源ボックス４１と別個に筐体２内部の所定の位置に設けることも可能である。
【００６１】
操作盤４５ａのスイッチ類としては、図６に示すように、スロットマシン１の電源をオン・オフする電源スイッチ４５ｂ、出玉率の設定値の変更を許可又は不許可に切り替える設定キースイッチ４５ｃ及びスロットマシン１の主制御基板５０のエラー状態を回復するリセットスイッチ４５ｄ等が設けられている。また、操作盤４５ａのランプ類としては、外部電源からの電源の入力状態を示す入力確認ランプ４５ｅ及びスロットマシン１の各電子機器への駆動電力の出力を確認する出力確認ランプ４５ｆ等が配置されている。
【００６２】
そして、操作部４５の操作盤４５ａの左辺部近傍には、上下４カ所に枢軸保持アーム４５ｇが設けられている。枢軸保持アーム４５ｇは、金属製の丸棒体によって形成されると共に上端部でほぼ垂直に曲折されて所定方向に延在する枢軸係合部４６ａを有する枢軸４６を上方から受容して保持するものであり、操作部４５の操作盤４５ａを外方から開閉するための開閉カバー体４７を回動自在に取り付けることができるように構成されている。
【００６３】
また、操作部４５の操作盤４５ａの左辺部近傍には、互いに上下関係にある枢軸保持アーム４５ｇの間に枢軸ガイド４５ｈが設けられている。枢軸ガイド４５ｈは、上方から枢軸保持アーム４５ｇに受容した枢軸４６を下方の枢軸保持アーム４５ｇの円滑に誘導するためのものであり、操作部４５の操作盤４５ａに対して略垂直にシャーシ部４３の手前側の方向に立設するように構成されている。
【００６４】
そしてまた、操作盤４５ａの左辺部近傍には、板バネ４９を外方から収容することによってシャーシ部４３に取り付け固定する板バネ取付孔４５ｉが設けられている。板バネ取付孔４５ｉは、操作部４５の操作盤４５ａに沿って上下方向２カ所に設けられ、操作盤４５ａの左辺部から右辺部の方向に向かって切り欠くことによって略矩形状に開口形成されている。
【００６５】
更に、操作部４５の操作盤４５ａの略中央位置右側には、開閉カバー体４７が閉塞されたとき後述するロック部材４８のノブ部材４８ｂが係合するノブ部材係合孔４５ｊが開口形成されている。
【００６６】
開閉カバー体４７は、閉塞時に操作部４５の操作盤４５ａを外方から覆うことにより、棒体等の異物の挿入によって操作盤４５ａのスイッチ類を操作する不正行為を防ぐためのものであり、操作部４５の操作盤４５ａに配置されたスイッチ類及びランプ類を外方から覆うことができる程度の幅及び高さ有する略矩形状の面部４７ａと、面部４７ａの各辺部で垂直に曲折されて延出するリブ４７ｂとを有している。
【００６７】
開閉カバー体４７のリブ４７ｂは、開閉カバー体４７を閉塞したときに操作部４５の操作盤４５ａと開閉カバー体４７の面部４７ａとの間に所定の空間を形成して操作盤４５ａのスイッチ類及びランプ類が開閉カバー体４７の面部４７ａに接触しない程度の長さを有するように構成されている。
【００６８】
開閉カバー体４７の面部４７ａは、各種のスイッチ類の操作状態及び各種のランプ類の点灯状態が外方から視認可能となるようにポリカーボネート等の透明な樹脂材料を用いて形成されている。そして、開閉カバー体４７のリブ４７ｂは、面部４７ａと同一の樹脂材料を用い、射出成形等によって面部４７ａと一体に形成されている。
【００６９】
開閉カバー体４７の左辺部側には、図５及び図６に示すように、操作盤４５ａの板バネ取付孔４５ｉの位置に対応して上下２カ所にカム４７ｃが設けられている。カム４７ｃは、板バネ４９からの付勢力によって電源ボックス４１の開閉カバー体４７を開閉するように回動させるものであり、枢軸４６を挿通させる枢軸挿通孔４７ｄを有している（図７を参照）。カム４７ｃは、面部４７ａ及びリブ４７ｂと同一の樹脂材料を用いて、リブ４７ｂと一体に形成されている。
【００７０】
カム４７ｃは、図７に示すように、リブ４７ｂを基端として開閉カバー体４７の幅方向に延在する平面視略直角三角形の土台部４７ｅと、土台部４７ｅの延在方向に対して交差するように土台部４７ｅを基端として開閉カバー体４７の後面側の方向に向かって延在し、先端側が半円形に形成された突起部４７ｆとを有している。
【００７１】
また、開閉カバー体４７の左辺部の略上部には、枢軸４６が操作部４５の枢軸保持アーム４５ｇ及びカム４７ｃの枢軸挿通孔４７ｄに受容されたときに枢軸４６を回動することによって枢軸４６の枢軸係合部４６ａを係合させる枢軸被係合部４７ｇが設けられている。開閉カバー体４７の枢軸被係合部４７ｇは、面部４７ａ及びリブ４７ｂと同一の樹脂材料を用いてリブ４７ｂに一体に設けられており、先端側から切り欠くことによって形成された略Ｕ字状の溝を有している。
【００７２】
そしてまた、開閉カバー体４７の高さ方向の略中央位置右側には、開閉カバー体４７のロック部材４８が設けられている。ロック部材４８は、開閉カバー体４７が閉塞されたときに開閉カバー体４７の閉塞位置で開閉カバー体４７のロック状態を保持するためのものであり、操作部４５のロック部材取付孔４５ｊに係止するノブ部材４８ａと、ノブ部材４８ａの一端側に設けられた略円錐状のノブ部４８ｂとを有している。
【００７３】
電源ボックス４１の板バネ４９は、図７に示すように、一枚の金属板を折り曲げ加工することによって形成され、外方から操作部４５の板バネ取付孔４５ｉ内に収容されてシャーシ部４３の左側面４３ａに取り付け固定される板状の板バネ取付部４９ａと、板バネ取付部４９ａの手前側の端部で曲折されてシャーシ部４３の手前側の方向に延在し、カム４７ｃの突起部４７ｆが当接する板状の付勢部４９ｂとを有している。板バネ４９は、開閉カバー体４７の開閉時に付勢部４９ｂに当接するカム４７ｃの突起部４７ｆによってシャーシ部４３の手前側から奥側の方向に弾性変形することによって形成される付勢力により開閉カバー体４７を付勢する付勢手段として構成される。
【００７４】
板バネ４９の板バネ取付部４９ａは、シャーシ部４３の左側面４３ａに沿って延在し、板バネ４９をシャーシ部４３の左側面４３ａに取り付け固定するための取付孔４９ｃを有している。板バネ取付部４９ａの奥側端部は、奥側に移行するに従ってシャーシ部４３の左側面４３ａから漸次離間するように突設されている。
【００７５】
板バネ４９の付勢部４９ｂは、板バネ取付部４９ａがシャーシ部４３の左側面４３ａに取り付け固定された時にフリー状態となるように取付部４３ａの手前側の端部で曲折され、シャーシ部４３の手前側方向に向かって延在するように構成されている。そして、板バネ４９の付勢部４９ｂは、カム４７ｃの突起部４７ｆによりシャーシ部４３の手前側から奥側の方向に弾性変形することによって開閉カバー体４７に付勢力を及ぼすことができるように構成されている。
【００７６】
本発明では、開閉カバー体４７が閉塞されているときには、図７に示すように、板バネ４９の付勢部４９ｂは、カム４７ｃの突起部４７ｆと接触点Ｐ１で接触するように構成されている。このとき、板バネ４９は、開閉カバー体４７が閉塞する方向に作用する付勢力の方が開放する方向に作用する付勢力より大きく、板バネ４９の付勢力により開閉カバー体４７を閉塞するように構成されている。
【００７７】
また、開閉カバー体４７を開放方向に向けて移動させると、板バネ４９は、板バネ４９の付勢部４９ｂと、カム４７ｃの突起部４７ｆとの接点が開閉カバー体４７の移動に連動して突起部４７ｆの頂点の方向に向かって移動するように構成されている（図７の接触点Ｐ１から図８のＰ２）。このとき、板バネ４９の付勢力は、開閉カバー体４７の移動に連動して漸次開閉カバー体４７を閉塞する方向に作用する付勢力が大きくなるように設定されている。
【００７８】
そして、開閉カバー体４７が所定位置に到達したときには、図８に示すように、板バネ４９の付勢部４９ｂは、カム４７ｃの突起部４７ｆのほぼ頂点付近である接触点Ｐ２にて接触するように構成されている。このとき、板バネ４９の付勢力は、開閉カバー体４７が閉塞する方向に作用する付勢力と開閉カバー体４７が開放する方向に作用する付勢力が釣り合うように設定されており、板バネ４９は、開閉カバー体４７を板バネ４９の付勢力によって開放方向又は閉塞方向のいずれにも移動させないように構成されている。本発明において、開閉カバー体４７の移動過程における所定位置は、板バネ４９による付勢力の中立点であり、所定位置に在る開閉カバー体４７は、開放方向又は閉塞方向のいずれにも付勢されないように構成されている。
【００７９】
そしてまた、開閉カバー体４７が所定位置を超え更に開放位置側に到達すると、図９に示すように、板バネ４９の付勢部４９ｂは、接触点Ｐ１とカム４７ｃの突起部４７ｆの頂点を介して反対側の接触点Ｐ３で接触する他に、カム４７ｃの土台部４７ｅの頂点とも接触するように構成されている。このとき、板バネ４９の付勢力は、開閉カバー体４７を開放する方向に作用する付勢力が開閉カバー体４７を閉塞する方向に作用する付勢力より大きくなるように設定されており、図９に示すように、板バネ４９は、付勢力によって開閉カバー体４７を開放位置まで付勢するように構成されている（通常、板バネ４９の付勢力で開放位置まで一気に付勢される）。本発明では、板バネ４９の付勢力によって付勢されて到達した位置を開閉カバー体４７の開放位置としている。これにより、開閉カバー体４７は、操作部４５の操作盤４５ａに対してほぼ垂直となる位置で静止し、開閉カバー体４７の開放状態が安定的に保たれる。
【００８０】
更に、開閉カバー体４７は、開閉カバー体４７の開放位置から更に開放側に向かって移動させることができるように構成されている。このとき、開閉カバー体４７の移動に連動して接触点Ｐ３にて接触しているカム４７ｃの突起部４７ｆは板バネ４９の付勢部４９ｂから離反し、カム４７ｃの土台部４７ｅの頂点だけで開閉カバー体４７の開放状態が保持されるように構成されている。
【００８１】
なお、本実施の形態の板バネ４９は、電源ボックス４１の開閉カバー体７４が閉塞位置から所定位置まで到達するまでは開閉カバー体４７を閉塞方向に向かわせる付勢力のみを作用させるようにし、所定位置に到達すると、開閉カバー体４７を閉塞方向及び開放方向のいずれにも向かわないようにし、そして所定位置を超えて、開放位置側に到達したときに、開閉カバー体４７を開放方向に向かわせる付勢力のみを作用させるように構成されていても良い。
【００８２】
次に、制御基板収納ボックス１２内に配設されているスロットマシン１のメイン制御基板５０等について図１０に基づいて説明する。図１０は、スロットマシン１の電気的構成を説明するブロック図である。
【００８３】
メイン制御基板５０には、演算装置である１チップマイコンとしてのＭＰＵ５１と、そのＭＰＵ５１に接続されると共にスイッチ類等の各種の入出力手段に接続された入出力ポート５２が搭載されている。
【００８４】
ＭＰＵ５１には、ＭＰＵ５１により実行される初期設定プログラム等の制御プログラムや出玉率等の固定値データを記憶したＲＯＭ５３と、そのＲＯＭ５３内に記憶される制御プログラムの実行にあたって各種のデータ等を一時的に記憶するためのメモリであるＲＡＭ５４等が内蔵されている。
【００８５】
入出力ポート５２には、スロットマシン１の電源をオン・オフする電源スイッチ４５ｂ、設定キーの操作により遊技の当選確率を複数段階に切り替えるための設定キースイッチ４５ｃ、エラー状態を回復するためのリセットスイッチ４５ｄ、外部電源からの電力の入力状態を示す入力確認ランプ４５ｅ、スロットマシン１の各電子機器への駆動電力の出力を確認する出力確認ランプ４５ｆ等が接続されている。
【００８６】
電源基板６０は、電源ボックス４１のシャーシ部４３内に収容されており、メイン制御基板５０の他に、スロットマシン１のリール駆動モータ等の機器類に駆動電力を供給する電源部６１と、電源断の発生を監視する停電監視回路６２等の各種回路を備えている。スロットマシン１の電源オフ後には、電源基板６０の電源部６１からＲＡＭ５４にバックアップ電圧が供給される。
【００８７】
ＭＰＵ５１は、入出力ポート５２に接続されている各種のスイッチ類からの検出信号等に基づき、ＲＯＭ５３内に格納されているプログラムを実行することによって種々の処理を行う制御手段を構成する。例えば、電源スイッチ４５ｂがオン操作されると、電源基板６０の電源部６１からＭＰＵ５１に駆動電力が供給され、初期設定プログラム等の制御プログラムに基づきスロットマシン１の各電子機器に対して起動動作にかかる信号が入出力ポート５２を介して出力される。
【００８８】
次に、上記構成を有するスロットマシン１の電源スイッチ４５ｂをオン操作する場合の電源ボックス４１の動作等について以下に説明する。図１１及び図１２は、電源ボックス４１の開閉カバー体４７の開閉を説明する図である。
【００８９】
最初に、完全な閉塞位置に在るスロットマシン１の前面扉３の施錠を解除して、前面扉３を手前側に向かって開放し、前面扉３を保持して開放状態を保つ（図２を参照）。なお、本発明において、前面扉３の開放状態とは、前面扉３が、筐体２内部の電源ボックス４１のスイッチ類の操作、前面扉３の後面側に設けられた液晶ディスプレイ２３のメンテナンス等を行うことができる程度に手前側に向かって開放されている状態を表す意味合いで用いられるものである。
【００９０】
スロットマシン１の前面扉３の開放状態を保持した状態で、電源ボックス４１のロック部材４８のノブ部４８ｂを把持して手前側に引くことによって電源ボックス４１の開閉カバー体４７のロック状態を解除する。このとき、図１１の仮想線で示すように、電源ボックス４１の開閉カバー体４７は完全に閉塞されたままの状態であり、板バネ４９の付勢力は、開閉カバー体４７の閉塞方向に作用している。したがって、電源ボックス４１の開閉カバー体４７は、板バネ４９の付勢力によって操作部４５の操作盤４５ａに密着した状態となるように閉塞されている。
【００９１】
そして、ノブ部４８ｂを把持した状態で電源ボックス４１の開閉カバー体４７を開放方向に向けて移動させると、枢軸４６の回動に連動してカム４７ｃの突起部４７ｆが板バネ４９の付勢部４９ｂをシャーシ部４３の奥側の方向に向かって弾性変形させる。このとき、開閉カバー体４７を閉塞位置へ向かわせる付勢力が漸次大きくなり、ロック部材４８のノブ部４８ｂの把持を解除すると、開閉カバー体４７は閉塞位置に向かって付勢される。従って、この時点では、開閉カバー体４７を閉塞する方向に作用する付勢力が開閉カバー体４７を開放する方向に作用する付勢力を上回っている。
【００９２】
電源ボックス４１の開閉カバー体４７の開放動作が連続されると、開閉カバー体４７を閉塞する方向に作用する付勢力が漸次大きくなる。そして、図１１の仮想線で示すように開閉カバー体４７が所定位置まで到達すると、開閉カバー体４７は開放方向又は閉塞方向のいずれにも付勢されない状態となる（図８を参照）。
【００９３】
このとき、カム４７ｃの突起部４７ｆの略頂点部分が板バネ４９の付勢部４９ｂと接触し（接触点Ｐ２）、突起部４７ｆによって依然として板バネ４９の付勢部４９ｂはシャーシ部４３の奥側の方向に向かって弾性変形している。そして、開閉カバー体４７は所定位置に在ることから、開閉カバー体４７を開放する方向に作用する付勢力と開閉カバー体４７を閉塞する方向に作用する付勢力が釣り合っている。従って、開閉カバー体４７の保持を解除しても、開閉カバー体４７は閉塞方向又は開方向のいずれにも移動せず静止している。
【００９４】
更に、電源ボックス４１の開閉カバー体４７の開放動作が連続され、中立点を超えて開閉カバー体４７を開放方向に向けて移動させ、所定位置より開放位置側に到達すると、板バネ４９の付勢部４９ｂの弾性変形による付勢力で電源ボックス４１の開閉カバー体４７は開放方向に向かって付勢される。板バネ４９の付勢部４９ｂによって付勢された電源ボックス４１の開閉カバー体４７は、図１１の実線で示す位置まで一気に付勢される。
【００９５】
そして、カム４７ｃの突起部４７ｆは板バネ４９の付勢部４９ｂに接触しつつ、カム４７ｃの土台部４７ｅが板バネ４９の付勢部４９ｂに当接し、開閉カバー体４７の開放状態を安定させている。したがって、電源ボックス４１の開閉カバー体４７を保持することなく開閉カバー体４７の開放状態が保たれている。
【００９６】
上述のように、板バネ４９の付勢力によって開放位置側まで移動させた開閉カバー体４７は、操作部４５の操作盤４５ａに対してほぼ垂直の位置まで到達する（図９を参照）。このとき、開放位置に到達した開閉カバー体４７を、必要により更に開放側に移動させることができる。これにより、開閉カバー体４７は、操作部４５の操作スペースを大きく確保できる程度に開放されるので、操作盤４５ａのスイッチ類の操作性を更に向上させることができる。
【００９７】
このように開放位置を超えて更に開放側まで開放された開閉カバー体４７は、前面扉３の受け部１８に当接させるようにしても良い。受け部１８には、衝撃吸収板１８ｂ及び摩擦軽減材１８ｃが設けられていることから、開閉カバー体４７を受け部１８に当接させても破損等しないようにすることができる。特に、板バネ４９の付勢力を上回るような力をもって開閉カバー体４７が開放されたときに、受け部１８で開閉カバー体４７を受けることによって破損等を有効に防ぐことができる。
【００９８】
開閉カバー体４７を開放した状態で、電源スイッチ４５ｂをＯＮ操作すると、電源基板６０の電源部６１から駆動電力がメイン制御基板５０等に供給されると共に、入力確認用ＬＥＤ４５ｅ及び出力確認用ＬＥＤ４５ｆが点灯する。このとき、開閉カバー体４７は、カム４７ｃの接触点Ｐ３の突起部４７ｆと土台部４７ｅの頂点によって開放状態を安定的に保持されているので、前面扉３の開放状態だけを保持すれば十分である。従って、電源スイッチ４５ｂのＯＮ操作を良好な操作性をもって行うことができる。
【００９９】
即ち、従来のスロットマシンにおいて、電源ボックス４１の開閉カバー体４７が付勢手段によって常に閉塞方向に付勢されていたことから、本発明の前面扉３に加えて開閉カバー体４７を保持しつつ電源ボックス４１のスイッチ類を操作する必要があった。これにより、一方で前面扉３及び開閉カバー体４７を保持し、他方で操作部４５のスイッチ類を操作するので、操作部４５のスイッチ類を操作する作業性は極めて低いものであった。特に、前面扉３と開閉カバー体４７を同時に保持するのは困難であることから、作業者の手に開閉カバー体４７を接触させた状態で操作部４５のスイッチ類を操作することもあり、極めて煩雑なものとなっていた。従って、多数のスロットマシン１が設置されている遊技場において、各々のスロットマシン１の操作部４５のスイッチ類を操作する場合、上記の煩雑性及び作業性の低下により、作業効率の低下が生じていた。
【０１００】
これに対し、本発明では、上述のように、前面扉３の開放状態を保持するだけで、操作部４５の電源スイッチ４５ｂを操作できることから、開閉カバー体４７を保持することによる煩雑性が解消され、操作部４５のスイッチ類を操作する作業性の大幅な向上を図ることができる。特に、多数のスロットマシン１が設置されている遊技場においては、上記の煩雑性の解消と作業性の向上により、作業効率の大幅な改善を図ることができる。
【０１０１】
電源スイッチ４５ｂの操作後、ＭＰＵ５１からの指令によってスロットマシン１の初期設定プログラムが実行され、種々の初期処理が行われる。例えば、クレジット枚数表示部２５、ゲーム数表示部２６及び払出枚数表示部２７にそれぞれ「０」が表示される。
【０１０２】
次に、スロットマシン１の前面扉３及び電源ボックス４１の開閉カバー体４７を閉塞すべく閉塞動作に移行する。
【０１０３】
まず、開放状態にあるスロットマシン１の前面扉３を保持した状態で、前面扉３を閉塞位置に向けて移動させる。このとき、電源ボックス４１の開閉カバー体４７が開放位置を超えて前面扉３の受け部１８に当接している場合には、前面扉３の移動に連動して電源ボックス４１の開閉カバー体４７も閉塞方向に向かって移動開始する。
【０１０４】
前面扉３の閉塞動作が連続されて、図１２の仮想線で示すように前面扉３の閉塞過程で開放位置にある開閉カバー体４７に、前面扉３の受け部１８が当接する。具体的には、開放位置にある開閉カバー体４７は、筐体２の手前側に向かって延在するように静止しているので、開閉カバー体４７の右辺部近傍に前面扉３の受け部１８が当接する。そして、前面扉３の受け部１８が開閉カバー体４７に当接した状態で、前面扉３を更に閉塞方向に向けて移動させると、受け部１８と開閉カバー体４７との間で摺動が生じる。
【０１０５】
更に前面扉３の閉塞動作を連続すると、前面扉３の受け部１８と電源ボックス４１の開閉カバー体４７の摺動によって、開閉カバー体４７が閉塞方向に向けて押し出され、閉塞位置に向けて移動開始する。そして、図１２に示すように、開閉カバー体４７の移動過程で開閉カバー体４７が所定位置を超えて閉塞側の位置に到達すると、開閉カバー体４７は、板バネ４９の付勢力によって操作部４５の操作盤４５ａを外方から覆う閉塞位置まで付勢される。そして、電源ボックス４１の開閉カバー体４７が付勢されて閉塞したのとほぼ同時に、スロットマシン１の前面扉３も閉塞される。
【０１０６】
このように、前面扉３の受け部１８と電源ボックス４１の開閉カバー体４７が摺動しつつ電源ボックス４１の開閉カバー体を押し出すのは、閉塞過程の開閉カバー体４７が少なくとも所定位置を超えて閉塞位置側に到達するまで行われるようにする。かかる閉塞位置まで受け部１８との摺動によって開閉カバー体４７を押し出せば、その後に板バネ４９の付勢力によって開閉カバー体４７を閉塞位置まで一気に移動させることができる。これにより、電源ボックス４１の操作部４５のスイッチ類を操作した後、開閉カバー体４７の閉め忘れを防止できる。
【０１０７】
なお、開閉カバー体４７の閉塞動作は、最初に電源ボックス４１の開閉カバー体４７を閉塞し、その後にスロットマシン１の前面扉３を閉塞するようにしても良い。そうすると、操作部４５のスイッチ類の操作は終了しているので、前面扉３の開放状態だけを保持した状態で、電源ボックス４１の開閉カバー体４７を確実に閉塞位置まで移動させ、ロック部材４８のノブ部４８ｂを押下することによって開閉カバー体４７の閉塞状態をロックすることができる。これにより、外方から開閉カバー体４７を操作部４５の操作盤４５ａに対して強固に密着させることができ、異物等の挿入によって操作部４５のスイッチ類を操作する不正行為をさらに困難なものとすることができる。そして、開閉カバー体４７の閉塞動作を先行させるのは、各々のスロットマシン１の電源ボックス４１のスイッチ類を連続して操作するときの作業効率の低下を招来しない程度において可能である。
【０１０８】
更に、電源ボックス４１の開閉カバー体４７の閉塞とほぼ同時に前面扉３を閉塞できることから、前面扉３を開放してから電源ボックス４１の操作部４５のスイッチ類を操作して、再び前面扉３を閉塞するまでの一連の動作を迅速に行えるので、スロットマシン１の設定状態の変更を極めて迅速に行うことができる。特に、遊技場には多数のスロットマシン１が設置されていることから、各々のスロットマシン１の設定状態の変更を、極めて高い作業効率をもって行うことができる。
【０１０９】
上記構成を有するスロットマシン１によれば、電源ボックス４１の開閉カバー体４７は、開放過程で板バネ４９の付勢力の中立点である所定位置より開放位置側まで到達すると、板バネ４９の付勢力によって開放位置まで付勢される。これにより、電源ボックス４１の開閉カバー体４７は、開閉カバー体４７を所定位置より閉塞位置側まで移動させない限り閉塞方向に向かって移動することはないので、開閉カバー体４７の開放状態を保持する必要がない。
【０１１０】
従来のスロットマシンでは、電源ボックスの開閉カバー体が付勢手段によって常に閉塞方向に付勢されていたことから、前面扉３に加えて開閉カバー体４７を保持しつつ電源ボックス４１のスイッチ類を操作する必要があった。これにより、一方で前面扉３及び開閉カバー体４７を保持し、他方で操作部４５のスイッチ類を操作するので、操作部４５のスイッチ類を操作する作業性は極めて低いものであった。
【０１１１】
特に、開閉カバー体４７の開放状態を保持しないときには、作業者の手に開閉カバー体４７を接触させた状態で操作部４５のスイッチ類を操作することから、極めて煩雑なものとなっていた。従って、多数のスロットマシン１が設置されている遊技場において、各々のスロットマシン１の操作部４５のスイッチ類を操作する場合、開閉カバー体４７が作業者の手に接触することによる煩雑性と、かかる煩雑性に基づく電源ボックス４１の操作部４５のスイッチ類の作業性の低下により、作業効率が低下していた。
【０１１２】
これに対し、上記構成のスロットマシン１では、前面扉３の開放状態を保持するだけで、操作部４５のスイッチ類を操作できることから、開閉カバー体４７を保持することによる煩雑性が解消されると共に、操作部４５のスイッチ類を操作する作業性の大幅な向上を図ることができる。従って、多数のスロットマシン１が設置されている遊技場においては、上記の煩雑性の解消と作業性の向上により、作業効率の大幅な改善を図ることができる。
【０１１３】
また、操作部４５のスイッチ類を操作した後は、前面扉３の開放状態を解除して閉塞方向に向けて移動させるだけで、電源ボックス４１の開閉カバー体４７を閉塞することができる。すなわち、前面扉３の閉塞方向に向けた移動過程において、前面扉３の受け部１８が開放状態の開閉カバー体４７に当接して摺動することにより、電源ボックス４１の開閉カバー体４７を前面扉３の移動に連動して閉塞方向に向かって押し出すように移動させることができる。
【０１１４】
そして、電源ボックス４１の開閉カバー体４７が所定位置よりも閉塞位置側に到達すると、板バネ４９の付勢力によって開閉カバー体４７が閉塞位置まで付勢される。よって、開閉カバー体４７は操作部４５の操作盤４５ａに密着した状態となり、開閉カバー体４７によって操作部４５の操作盤４５ａを外方から閉塞することができる。これにより、操作部４５のスイッチ類を操作した後、開閉カバー体４７を閉め忘れることなく開閉カバー体４７は確実に閉塞されるので、スロットマシン１の本体４の隙間から棒体等を挿入することによって操作部４５のスイッチ類を操作する不正行為を防止することができる。
【０１１５】
そしてまた、電源ボックス４１の開閉カバー体４７を閉塞するのとほぼ同時に前面扉３を閉塞できるので、前面扉３を開放してから電源ボックス４１の操作部４５のスイッチ類を操作して、再び前面扉３を閉塞するまでの一連の動作を迅速に行うことができる。従って、スロットマシン１の設定状態の変更を極めて迅速に行うことができる。特に、遊技場には多数のスロットマシン１が設置されていることから、各々のスロットマシン１の設定状態の変更を、極めて高い作業効率をもって行うことができる。
【０１１６】
更に、電源ボックス４１は、筐体２内部において、筐体２の左側面近傍で且つ筐体２の開放部分の近傍に配置されている。これにより、板バネ４７の付勢力によって電源ボックス４１の開閉カバー体４７を良好な操作性をもって操作部４５のスイッチ類を操作できる程度に開放位置まで開放することができる。また、操作部４５のスイッチ類が操作されて、電源ボックス４１の開閉カバー体４７を閉塞するときには、前面扉３の受け部１８が電源ボックス４１の開閉カバー体４７を積極的に受け、前面扉３の受け部１８と電源ボックス４１の開閉カバー体４７の間の摺動により、電源ボックス４１の開閉カバー体４７を閉塞方向に押し出して円滑に閉塞することができる。
【０１１７】
本発明は、上述の実施の形態に限定されるものではなく、本発明の趣旨を逸脱しない範囲で種々の変更が可能である。例えば、電源ボックス４１の開閉カバー体４７を開放方向又は閉塞方向に付勢する付勢手段を所定の磁力を有する磁性体によって構成することができる。
【０１１８】
具体的には、磁性体は、開閉カバー体４７の面部４７ａと、面部４７ａに設けた位置に対応して操作部４５の操作盤４５ａと前面扉３の受け部１８にそれぞれ１カ所ずつ設け、合計して３カ所に設けられている。そして、各々の磁性体の磁力については、開閉カバー体４７の面部４７ａと操作部の操作盤４５ａの間で作用する磁力を、開閉カバー体４７の面部４７ａと前面扉の受け部１８の間で作用する磁力より大きくなるように設定する。
【０１１９】
電源ボックス４１の開閉カバー体４７の移動過程で、電源ボックス４１の開閉カバー体４７が所定位置より閉塞側の位置に在るときには、開閉カバー体４７の面部４７ａの磁性体と操作部４５の操作盤４５ａに設けられた磁性体との間の相互作用によって、電源ボックス４１の開閉カバー体４７を閉塞方向に付勢することができるように構成されている。
【０１２０】
また、板バネ４９の付勢力の中立点に対応する所定位置に電源ボックス４１の開閉カバー体４７が到達すると、開閉カバー体４７の面部４７ａに設けられた磁性体と操作部４５の操作盤４５ａに設けられた磁性体との間で相互作用の影響が及ばないように構成されている。このとき、開閉カバー体４７の面部４７ａに設けられた磁性体と前面扉３の受け部１８に設けられた磁性体との間においても相互作用の影響が及ばないように構成されている。これにより、電源ボックス４１の開閉カバー体４７は、磁性体によって開放方向又は閉塞方向のいずれにも付勢されることなく、静止した状態となる。
【０１２１】
そして、電源ボックス４１の開閉カバー体４７が所定位置を超え、開放側の位置に到達すると、開閉カバー体４７の面部４７ａに設けられた磁性体と前面扉３の受け部１８に設けられた磁性体との間の相互作用によって、開放方向に付勢することができるように構成されている。
【０１２２】
これにより、開閉カバー体４７は、所定位置を超えて開放側の位置まで到達すれば、開閉カバー体４７の面部４７ａの磁性体と操作部４５の操作盤４５ａの磁性体との間で作用する磁力の影響を殆ど受けることなく、開閉カバー体４７の面部４７ａの磁性体と前面扉３の受け部１８の磁性体との間で作用する磁力によって、電源ボックス４１の開閉カバー体４７を開放方向に付勢することができる。従って、開放された開閉カバー体４７は、開閉カバー体４７の面部４７ａの磁性体と前面扉３の受け部１８の磁性体との間で作用する磁力によって開放状態を保持される。
【０１２３】
一方、開閉カバー体４７は、上記実施の形態と同様に前面扉３を閉塞方向に向けて移動させることによって閉塞することができる。前面扉３を閉塞方向に向けて移動させると、前面扉３の受け部１８に電源ボックス４１の開閉カバー体４７が当接し、その状態で更に前面扉３を移動させると、前面扉３の受け部と開閉カバー体４７との間で摺動が生じつつ開閉カバー体４７も閉塞方向に向かって押し出されて移動を開始する。
【０１２４】
そして、閉塞過程の開閉カバー体４７が所定位置を超えて閉塞位置側に到達すると、開閉カバー体４７の面部４７ａの磁性体と操作部４５の操作盤４５ａの磁性体との間で作用する磁力が大きいことから、開閉カバー体４７が前面扉３の受け部１８から離反して、閉塞位置まで一気に付勢される。従って、開閉カバー体４７は、閉塞方位置に向けた移動過程で所定位置より閉塞位置側に到達すれば、磁性体の磁力（付勢力）によって閉塞することができる。
【０１２５】
更に、付勢手段の他の実施の形態として、上記各実施の形態で説明した付勢手段を組み合わせて用いることも可能である。
【０１２６】
例えば、上記実施の形態の板バネ４９に対応する板バネを開閉カバー体４７が開放する方向にのみ付勢可能な付勢手段として構成すると共に、開閉カバー体４７の面部４７ａと操作部４５の操作盤４５ａにそれぞれ磁性体を設け、これらの磁性体の間で作用する磁力が板バネ４９の付勢力を上回るように設定された付勢手段として構成する。
【０１２７】
これにより、上記各実施の形態と同様に、開閉カバー体４７を開放する場合、開閉カバー体４７が所定位置より開放位置側に到達すれば、板バネ４９によって開放方向に付勢され、開閉カバー体４７の開放位置に一気に到達する。また、開閉カバー体４７を閉塞する場合、開閉カバー体４７が所定位置より閉塞位置側に到達すれば、磁性体の磁力が板バネ４９の付勢力より大きくなるように設定されているので、板バネ４９の付勢力に抗して開閉カバー体４７は閉塞位置に向けて付勢される。
【０１２８】
このように、開閉カバー体４７の付勢手段は、所定位置より開放側の位置に到達した場合、付勢力によって開閉カバー体４７の開放位置に向けて付勢することができ、所定位置より閉塞側の位置に到達した場合、付勢力によって開閉カバー体４７を閉塞位置に向けて付勢することができれば、どのような付勢手段によって構成されていても良い。
【図面の簡単な説明】
【０１２９】
【図１】本発明の実施の形態であるスロットマシン１の前面扉３が閉じた状態を示す斜視図である。
【図２】同じくスロットマシン１の前面扉３が開いた状態を示す斜視図である。
【図３】同じく図２におけるスロットマシン１の要部拡大図である。
【図４】同じく図３においてＡ方向より矢視した受け部１８を説明する図である。
【図５】同じく電源ボックス４１の分解斜視図である。
【図６】同じく電源ボックス４１の要部拡大図である。
【図７】同じく電源ボックス４１のカム４７ｃを説明する図である。
【図８】同じく所定位置の開閉カバー体４７に作用する付勢力を説明する図である。
【図９】同じく開放位置の開閉カバー体４７に作用する付勢力を説明する図である。
【図１０】同じくスロットマシン１の電気的構成を説明するブロック図である。
【図１１】同じく電源ボックス４１の開閉カバー体４７の開放動作を示した図である。
【図１２】同じく電源ボックス４１の開閉カバー体４７の閉塞動作を示した図である。
【図１３】従来技術を説明する図である。
【符号の説明】
【０１３０】
１      スロットマシン（遊技機）
２      筐体
３      前面扉
４      本体部
５      ヒンジ
６      前面扉側壁部
９      コイン排出用通路
１５    補強部材
１８    受け部
１８ａ  支持板
１８ｂ  衝撃吸収板
１８ｃ  摩擦軽減膜
２２    スピーカ
４１    電源ボックス（電源装置）
４３    シャーシ部
４５    操作部
４５ａ  操作盤
４５ｂ  電源スイッチ
４５ｃ  設定スイッチ
４５ｄ  リセットスイッチ
４５ｅ  入力確認ランプ
４５ｆ  出力確認ランプ
４６    枢軸
４７    開閉カバー体
４７ｃ  カム
４８    ロック部材
４９    板バネ（付勢手段）
４９ａ  板バネ取付部
４９ｂ  付勢部
５０    主制御基板
６０    電源基板
Ｐ１、Ｐ２、Ｐ３  接触点
【図１】
2006263255.tif 000003
【図２】
2006263255.tif 000004
【図３】
2006263255.tif 000005
【図４】
2006263255.tif 000006
【図５】
2006263255.tif 000007
【図６】
2006263255.tif 000008
【図７】
2006263255.tif 000009
【図８】
2006263255.tif 000010
【図９】
2006263255.tif 000011
【図１０】
2006263255.tif 000012
【図１１】
2006263255.tif 000013
【図１２】
2006263255.tif 000014
【図１３】
2006263255.tif 000015